(57)【要約】【課題】  選択された走査ラインにおける発光する画素の個数によって、画素の発光輝度が異なることがない有機ＥＬ表示装置及びその駆動方法を提供する。【解決手段】  走査スイッチ手段２１〜２ｍは、走査ラインＳ１〜Ｓｍを第一電位または第二電位に接続自在とする。ドライブスイッチ手段７１〜７ｎは、ドライブラインＤ１〜Ｄｎを駆動電流源７０またはオフ電位に接続自在とする。制御手段８は、走査スイッチ手段２１〜２ｍを順次第一電位に接続させ、走査ラインＳ１〜Ｓｍを順次選択すると共に、ドライブスイッチ手段７１〜７ｎの接続状態を制御する。制御手段８は、駆動電流源７０に接続するドライブラインＤ１〜Ｄｎの個数に応じて、第二電位に接続され非選択状態となる走査ラインＳ１〜Ｓｍに対応する走査スイッチ手段２１〜２ｍの抵抗値を少なくとも２段階に変えるものである。【選択図】図１
2005242115.tif 000002
【特許請求の範囲】
【請求項１】
複数の走査ライン及び複数のドライブラインを有するドットマトリクス型の有機ＥＬパネルと、前記走査ラインを第一電位または第二電位に接続自在とする走査スイッチ手段と、前記ドライブラインを駆動電流源またはオフ電位に接続自在とするドライブスイッチ手段と、前記走査スイッチ手段によって前記走査ラインを前記第一電位に接続させ前記走査ラインを順次選択すると共に前記ドライブスイッチ手段の接続状態を制御する制御手段と、を有する有機ＥＬ表示装置であって、
前記制御手段は、前記駆動電流源に接続する前記ドライブラインの個数に応じて、前記第二電位に接続され非選択状態となる前記走査ラインに対応する前記走査スイッチ手段の抵抗値を少なくとも２段階に変えることを特徴とする有機ＥＬ表示装置。
【請求項２】
前記走査スイッチ手段は、前記走査ラインを前記第一電位に接続させる第一のトランジスタと、前記走査ラインを前記第二電位に接続する第二のトランジスタと、を有することを特徴とする請求項１に記載の有機ＥＬ表示装置。
【請求項３】
前記制御手段は、前記駆動電流源に接続する前記ドライブラインの個数に応じて、前記第二電位に接続され非選択状態となる前記走査ラインに対応する前記第二のトランジスタのバイアス電圧を変えることによって、前記抵抗値を変えることを特徴とする請求項２に記載の有機ＥＬ表示装置。
【請求項４】
前記有機ＥＬパネルの温度を検出し、温度データを出力する温度検出手段を設けたことを特徴とする請求項１に記載の有機ＥＬ表示装置。
【請求項５】
前記制御手段は、前記駆動電流源に接続する前記ドライブラインの個数と前記温度データとに応じて、前記二電位に接続する前記走査スイッチ手段の前記抵抗値を変えることを特徴とする請求項４に記載の有機ＥＬ表示装置。
【請求項６】
複数の走査ライン及び複数のドライブラインを有するドットマトリクス型の有機ＥＬパネルと、前記走査ラインを第一電位または第二電位に接続自在とする走査スイッチ手段と、前記ドライブラインを駆動電流源またはオフ電位に接続自在とするドライブスイッチ手段と、前記走査スイッチ手段によって前記走査ラインを前記第一電位に接続させ前記走査ラインを順次選択すると共に前記ドライブスイッチ手段の接続状態を制御する制御手段と、を有する有機ＥＬ表示装置であって、
前記走査スイッチ手段は、前記走査ラインを前記第一電位に接続させる第一のトランジスタと、前記走査ラインを前記第二電位に接続する第二のトランジスタと、を有し、
前記制御手段は、前記駆動電流源に接続する前記ドライブラインの個数に応じて、前記第二電位に接続され非選択状態となる前記走査ラインに対応する前記第二のトランジスタのバイアス電圧を変えることを特徴とする有機ＥＬ表示装置。
【請求項７】
複数の走査ラインを第一電位及び第二電位の一方に夫々接続すると共に、複数のドライブラインを駆動電流源またはオフ電位に夫々接続する有機ＥＬ表示装置の駆動方法であって、
前記駆動電流源に接続する前記ドライブラインの個数に応じて、前記第二電位に接続する前記走査スイッチ手段の抵抗値を少なくとも２段階に変えることを特徴とする有機ＥＬ表示装置の駆動方法。
【請求項８】
前記走査スイッチ手段は、前記走査ラインを前記第一電位に接続させる第一のトランジスタと、前記走査ラインを前記第二電位に接続する第二のトランジスタと、を有し、
前記制御手段は、前記駆動電流源に接続する前記ドライブラインの個数に応じて、前記第二電位に接続され非選択状態となる前記走査ラインに対応する前記第二のトランジスタのバイアス電圧を変えることによって、前記抵抗値を変えることを特徴とする請求項７に記載の有機ＥＬ表示装置の駆動方法。
【請求項９】
前記駆動電流源に接続する前記ドライブラインの個数と前記有機ＥＬパネルの温度とに応じて、前記二電位に接続する前記走査スイッチ手段の抵抗値を変えることを特徴とする請求項７に記載の有機ＥＬ表示装置の駆動方法。
【請求項１０】
複数の走査ラインを第一電位及び第二電位の一方に夫々接続すると共に、複数のドライブラインを駆動電流源またはオフ電位に夫々接続する有機ＥＬ表示装置の駆動方法であって、
前記走査スイッチ手段は、前記走査ラインを前記第一電位に接続させる第一のトランジスタと、前記走査ラインを前記第二電位に接続する第二のトランジスタと、を有し、
前記制御手段は、前記駆動電流源に接続する前記ドライブラインの個数に応じて、前記第二電位に接続され非選択状態となる前記走査ラインに対応する前記第二のトランジスタのバイアス電圧を変えることを特徴とする有機ＥＬ表示装置の駆動方法。
【発明の詳細な説明】
【技術分野】
【０００１】
本発明は、複数の陽極ライン及び複数の陰極ラインを有するドットマトリクス型の有機ＥＬパネルを有する有機ＥＬ表示装置及びその有機ＥＬ表示装置の駆動方法に関するものである。
【背景技術】
【０００２】
従来より、ドットマトリクス型の有機ＥＬパネル及びその駆動方法が種々提案されており、例えば特許文献１に開示されている。斯かる有機ＥＬパネルは、透光性基板上にＩＴＯ等の導電性透明膜からなる複数の陽極ライン（以下、ドライブラインと記す）をストライプ状に形成し、このドライブラインの背面に有機層を形成し、この有機層の背面にアルミニウム等の金属蒸着膜からなる複数の陰極ライン（以下、走査ラインと記す）をドライブラインに直交するように形成し、これらドライブラインと走査ラインとで前記有機層を挟持するものであり、液晶ディスプレイに代わる低消費電力，高表示品質及び薄型化が可能なディスプレイとして注目されている。
【特許文献１】特許第３３１４０４６号公報
【０００３】
有機ＥＬ表示装置は、有機ＥＬパネル１と、陰極駆動回路２と、陽極駆動回路３と、制御部４と、リセット回路５とを有している（図６参照）。
有機ＥＬパネル１は、画素Ｅ１１〜Ｅｍｎがマトリクス状に配設されてなるものである。画素Ｅ１１〜Ｅｍｎは、縦方向に複数設けられた走査ラインＳ１〜Ｓｍと、走査ラインＳ１〜Ｓｍと直交するように横方向に複数設けられたドライブラインＤ１〜Ｄｎとの交差箇所に設けられている。画素Ｅ１１〜Ｅｍｎは、並列配置されたダイオード及びコンデンサからなる等価回路で表される（図７参照）。ただし、図面が煩雑になることを防ぐため、図８及び図９においては発光する画素Ｅ１１〜Ｅｍｎをダイオードのみで、発光しない画素Ｅ１１〜Ｅｍｎをコンデンサのみで図示している。
【０００４】
陰極駆動回路２は、各走査ラインＳ１〜Ｓｍに対応する複数の走査スイッチ２１〜２ｍを備えている。走査スイッチ２１〜２ｍは、制御部４の制御信号に基づいて、各走査ラインＳ１〜Ｓｍを選択的に非選択電位Ｖｂまたはアース電位（０Ｖ）に接続するものである。
【０００５】
陽極駆動回路３は、各ドライブラインＤ１〜Ｄｎに対応して個々に駆動電流を供給する定電流源３０と、この定電流源３０からの駆動電流を各ドライブラインＤ１〜Ｄｎに接続可能とするドライブスイッチ３１〜３ｎとから構成される。各ドライブスイッチ３１〜３ｎの切換えは、制御部４からの制御信号に基づいて決定される。
【０００６】
制御部４は、陰極駆動回路２及び陽極駆動回路３に制御信号を夫々出力し、画素Ｅ１１〜Ｅｍｎを発光させるために必要な走査ラインＳ１〜Ｓｍ及びドライブラインＤ１〜Ｄｎに対応した走査スイッチ２１〜２ｍ及びドライブスイッチ３１〜３ｎを選択的にオン／オフさせる。
【０００７】
リセット回路５は、各ドライブラインＤ１〜Ｄｎに夫々接続された複数のリセットスイッチ５０からなるものである。リセットスイッチ５０は、走査スイッチ２１〜２ｍによって任意の走査ラインＳ１〜Ｓｍが選択されてから次の走査ラインＳ１〜Ｓｍが選択される間に、ドライブラインＤ１〜Ｄｎをアース電位に接続することにより、画素Ｅ１１〜Ｅｍｎに充電された電荷を放電させるものである。リセット回路５によって画素Ｅ１１〜Ｅｍｎに充電された電荷を放電させる期間は、「リセット期間」と称される。リセット期間では、ドライブラインＤ１〜Ｄｎだけでなく、走査ラインＳ１〜Ｓｍもアース電位に接続される。
【０００８】
制御回路４は、走査スイッチ２１〜２ｍを順次オンさせて、走査ラインＳ１〜Ｓｍを順次選択すると共に、各ドライブスイッチ３１〜３ｎをオン／オフさせることによって、有機ＥＬパネル１に文字，図形等を表示させる。
【発明の開示】
【発明が解決しようとする課題】
【０００９】
しかしながら、選択された走査ラインＳ１〜Ｓｍにおける発光する画素の個数によって、画素Ｅ１１〜Ｅｍｎの発光輝度が違うという問題を有していた。例えば、図８（ａ）に示すように、走査ラインＳ２の全ての画素Ｅ２１〜Ｅ２ｎを発光させるときは、画素Ｅ２１〜Ｅ２ｎは高輝度で発光するのに対し、図９（ａ）に示すように、画素Ｅ２１だけを発光させるときは、全ての画素Ｅ２１〜Ｅ２ｎを発光させるときに比較して、低輝度になるという問題があった。
【００１０】
このような問題は、走査ラインＳ２の全ての画素Ｅ２１〜Ｅ２ｎを発光させるときは、各ドライブラインＤ１〜Ｄｎが全て定電流源３０に接続されるため、選択されていない走査ラインＳ１，Ｓ２〜Ｓｍの画素Ｅ１１〜Ｅ１ｎ，Ｅ３１〜Ｅｍｎから、走査ラインＳ２に流れ込む電流ＩＳ２が大きく、図８（ｂ）に示すように、発光波形がパルス状になるが、画素Ｅ２１だけを発光させるときは、ドライブラインＤ２〜Ｄｎは定電流源３０に接続されないため、非選択状態である走査ラインＳ１，Ｓ２〜Ｓｍにおける画素Ｅ１２〜Ｅ１ｎ，Ｅ３２〜Ｅ２ｎ・・・Ｅｍ２〜Ｅｍｎのコンデンサとしての容量が大きく、走査ラインＳ２に流れ込む電流ＩＳ２が比較的小さくなり、図９（ｂ）に示すように、発光波形の立ち上がりが鈍り、発光輝度が低くなるためである。
【００１１】
本発明は、この問題に鑑みなされたものであり、選択された走査ラインにおける発光する画素の個数によって、画素の発光輝度が異なることがない有機ＥＬ表示装置及びその駆動方法を提供するものである。
【課題を解決するための手段】
【００１２】
本発明は、請求項１に記載したように、複数の走査ライン及び複数のドライブラインを有するドットマトリクス型の有機ＥＬパネルと、前記走査ラインを第一電位または第二電位に接続自在とする走査スイッチ手段と、前記ドライブラインを駆動電流源またはオフ電位に接続自在とするドライブスイッチ手段と、前記走査スイッチ手段によって前記走査ラインを前記第一電位に接続させ前記走査ラインを順次選択すると共に前記ドライブスイッチ手段の接続状態を制御する制御手段と、を有する有機ＥＬ表示装置であって、前記制御手段は、前記駆動電流源に接続する前記ドライブラインの個数に応じて、前記第二電位に接続され非選択状態となる前記走査ラインに対応する前記走査スイッチ手段の抵抗値を少なくとも２段階に変えるものである。
【００１３】
また、本発明は、請求項２に記載したように、記走査スイッチ手段は、前記走査ラインを前記第一電位に接続させる第一のトランジスタと、前記走査ラインを前記第二電位に接続する第二のトランジスタと、を有するものである。
【００１４】
また、本発明は、請求項３に記載したように、前記制御手段は、前記駆動電流源に接続する前記ドライブラインの個数に応じて、前記第二電位に接続され非選択状態となる前記走査ラインに対応する前記第二のトランジスタのバイアス電圧を変えることによって、前記抵抗値を変えるものである。
【００１５】
また、本発明は、請求項４に記載したように、前記有機ＥＬパネルの温度を検出し、温度データを出力する温度検出手段を設けたものである。
【００１６】
また、本発明は、請求項５に記載したように、前記制御手段は、前記駆動電流源に接続する前記ドライブラインの個数と前記温度データとに応じて、前記二電位に接続する前記走査スイッチ手段の前記抵抗値を変えるものである。
【００１７】
また、本発明は、請求項６に記載したように、複数の走査ライン及び複数のドライブラインを有するドットマトリクス型の有機ＥＬパネルと、前記走査ラインを第一電位または第二電位に接続自在とする走査スイッチ手段と、前記ドライブラインを駆動電流源またはオフ電位に接続自在とするドライブスイッチ手段と、前記走査スイッチ手段によって前記走査ラインを前記第一電位に接続させ前記走査ラインを順次選択すると共に前記ドライブスイッチ手段の接続状態を制御する制御手段と、を有する有機ＥＬ表示装置であって、前記走査スイッチ手段は、前記走査ラインを前記第一電位に接続させる第一のトランジスタと、前記走査ラインを前記第二電位に接続する第二のトランジスタと、を有し、前記制御手段は、前記駆動電流源に接続する前記ドライブラインの個数に応じて、前記第二電位に接続され非選択状態となる前記走査ラインに対応する前記第二のトランジスタのバイアス電圧を変えるものである。
【００１８】
また、本発明は、請求項７に記載したように、複数の走査ラインを第一電位及び第二電位の一方に夫々接続すると共に、複数のドライブラインを駆動電流源またはオフ電位に夫々接続する有機ＥＬ表示装置の駆動方法であって、前記駆動電流源に接続する前記ドライブラインの個数に応じて、前記第二電位に接続する前記走査スイッチ手段の抵抗値を少なくとも２段階に変えるものである。
【００１９】
また、本発明は、請求項８に記載したように、前記走査スイッチ手段は、前記走査ラインを前記第一電位に接続させる第一のトランジスタと、前記走査ラインを前記第二電位に接続する第二のトランジスタと、を有し、前記制御手段は、前記駆動電流源に接続する前記ドライブラインの個数に応じて、前記第二電位に接続され非選択状態となる前記走査ラインに対応する前記第二のトランジスタのバイアス電圧を変えることによって、前記抵抗値を変えるものである。
【００２０】
また、本発明は、請求項９に記載したように、前記駆動電流源に接続する前記ドライブラインの個数と前記有機ＥＬパネルの温度とに応じて、前記二電位に接続する前記走査スイッチ手段の抵抗値を変えるものである。
【００２１】
また、本発明は、請求項１０に記載したように、複数の走査ラインを第一電位及び第二電位の一方に夫々接続すると共に、複数のドライブラインを駆動電流源またはオフ電位に夫々接続する有機ＥＬ表示装置の駆動方法であって、前記走査スイッチ手段は、前記走査ラインを前記第一電位に接続させる第一のトランジスタと、前記走査ラインを前記第二電位に接続する第二のトランジスタと、を有し、前記制御手段は、前記駆動電流源に接続する前記ドライブラインの個数に応じて、前記第二電位に接続され非選択状態となる前記走査ラインに対応する前記第二のトランジスタのバイアス電圧を変えるものである。
【発明の効果】
【００２２】
選択された走査ラインにおける発光する画素の個数に応じて、選択されていない走査ラインに対応する走査スイッチ手段の抵抗値を適切に変更するため、画素の発光輝度のばらつきを低減できる。
【発明を実施するための最良の形態】
【００２３】
以下、添付の図面に基づいて、本発明の一実施形態について説明する。図１乃至図３は、第一実施形態を示すものである。有機ＥＬ表示装置は、有機ＥＬパネル１と、陰極駆動回路２と、陽極駆動回路７と、制御部８（制御手段）と、リセット回路５とから構成されている。
【００２４】
有機ＥＬパネル１は、画素Ｅ１１〜Ｅｍｎがマトリクス状に配設されてなるものである。画素Ｅ１１〜Ｅｍｎは、縦方向に複数設けられた走査ラインＳ１〜Ｓｍと、走査ラインＳ１〜Ｓｍと直交するように横方向に複数設けられたドライブラインＤ１〜Ｄｎとの交差箇所に設けられている。
【００２５】
陰極駆動回路２は、各走査ラインＳ１〜Ｓｍに対応する複数の走査スイッチ２１〜２ｍ（走査スイッチ手段）を備えている。各走査スイッチ２１〜２ｍは、走査ラインＳ１〜Ｓｍをアース電位（第一電位）に接続する第一のトランジスタＴｒ１と、走査ラインＳ１〜Ｓｍを非選択電位Ｖｂ（第二電位）に接続させる第二のトランジスタＴｒ２と、からなるものである（図２参照）。第一のトランジスタＴｒ１はＮチャンネル型トランジスタであり、第二のトランジスタＴｒ２はＰチャンネル型トランジスタである。なお、図１においては、図面が煩雑になることを防ぐため、各走査スイッチ２１〜２ｍについては、第一のトランジスタＴｒ１及び第二のトランジスタＴｒ２の一方を図示している。
【００２６】
第一のトランジスタＴｒ１及び第二のトランジスタＴｒ２は、夫々、ゲートＧａ，Ｇｂと、ソースＳａ，Ｓｂと、ドレインＳａ，Ｓｂと、を有している。第一のトランジスタＴｒ１のソースＳａはアース電位に接続され、ドレインＤａは走査ラインＳ１〜Ｓｍに接続されている。第一のトランジスタＴｒ１は、ゲートＧａから入力される駆動信号に基づいて、選択する走査ラインＳ１〜Ｓｍをアース電位に接続する。第二のトランジスタＴｒ２のソースＤｂは非選択電位Ｖｂに接続され、ドレインＤｂは走査ラインＳ１〜Ｓｍに接続されている。第二のトランジスタＴｒ２は、ゲートＧｂから入力される駆動信号に基づいて、選択されない走査ラインＳ１〜Ｓｍを非選択電位Ｖｂに接続する。走査ラインＳ１〜Ｓｍは、走査スイッチ２１〜２ｍによって順次選択状態にされる。
【００２７】
リセット回路５は、各ドライブラインＤ１〜Ｄｎに夫々接続された複数のリセットスイッチ５０からなるものである。リセットスイッチ５０は、走査スイッチ２１〜２ｍによって任意の走査ラインＳ１〜Ｓｍが選択されてから次の走査ラインＳ１〜Ｓｍが選択される間に、ドライブラインＤ１〜Ｄｎをアース電位に接続することにより、画素Ｅ１１〜Ｅｍｎに充電された電荷を放電させるものである。
【００２８】
陽極駆動回路７は、各ドライブラインＤ１〜Ｄｎに対応して個々に駆動電流を供給する定電流源７０（駆動電流源）と、制御部８からの制御信号に基づいて各ドライブラインＤ１〜Ｄｎを選択的に定電流源７０またはアース電位（オフ電位）に接続可能なドライブスイッチ７１〜７ｎを有している。
【００２９】
制御部８は、表示コントローラからなるものであり、例えば車両の走行情報を各種センサにより入力すると、所定の演算処理を行い車速やエンジン回転数、残燃料等の各種情報を有機ＥＬパネル１で表示させるべく、陰極駆動回路２と陽極駆動回路７とに制御信号を夫々出力し、画素Ｅ１１〜Ｅｍｎを発光させるために必要な走査ラインＳ１〜Ｓｍ及びドライブラインＤ１〜Ｄｎに対応した走査スイッチ２１〜２ｍ及びドライブスイッチ７１〜７ｎを選択的にオン／オフさせることで有機ＥＬパネル１に所定の情報を表示させるものである。
【００３０】
制御部８は、電圧データＶＧＳ１〜ＶＧＳｎを記憶したＥＥＰＲＯＭ等のメモリ部８ａを有している。電圧データＶＧＳ１〜ＶＧＳｎは、トランジスタＴｒ２のゲートＧｂに印加する駆動信号としての電圧レベルである。なお、当該電圧レベルとは、トランジスタＴｒ２のソースＳｂとゲートＧｂの間の電圧（バイアス電圧）を示すものである。電圧データＶＧＳ１〜ＶＧＳｎは、オンさせるドライブスイッチ７１〜７ｎの数１〜ｎに夫々対応するものである（図３参照）。
【００３１】
次に、本願発明の特徴である、選択されない走査ラインＳ１〜Ｓｍに対応する走査スイッチ２１〜２ｍに出力する駆動信号について説明する。制御部８は、選択する走査ラインＳ１〜Ｓｍにおいて発光させる画素の数１〜ｎに応じて、メモリ部８ａから電圧データＶＧＳ１〜ＶＧＳｎを読み出して、選択されない走査ラインＳ１〜Ｓｍに対応する走査スイッチ２１〜２ｍのトランジスタＴｒ２に、読み出した電圧データＶＧＳ１〜ＶＧＳｎに基づいた駆動信号を出力する。例えば、走査ラインＳ２において発光させる画素の数がｎ個であるときは、選択されない走査ラインＳ１，Ｓ３〜Ｓｍに対応する走査スイッチ２１，２３〜２ｍのトランジスタＴｒ２に、電圧データＶＧＳｎに基づいた駆動信号を出力する。また、走査ラインＳ２において発光させる画素の数が１個であるときは、選択されない走査ラインＳ１，Ｓ３〜Ｓｍに対応する走査スイッチ２１，２３〜２ｍのトランジスタＴｒ２に、電圧データＶＧＳ１に基づいた駆動信号を出力する。
【００３２】
トランジスタＴｒ２のドレインＤｂとソースＳｂの間の電圧を「Ｖｄｓ」、ドレインＤｂからソースＳｂに流れる電流を「Ｉｄ」とすると、トランジスタＴｒ２のゲートＧｂに印加する前記電圧レベルを変化させることは、式（１）の関係から、実質的にトランジスタＴｒ２の抵抗値Ｒを変化させていることに等しい。
Ｒ＝Ｖｄｓ／Ｉｄ  ・・・  式（１）
【００３３】
図４及び図５は、第二実施形態を示すものである。第二実施形態は、温度センサ１０及びメモリ部８ｂが第一実施形態と相違するだけであり、他の構成は第一実施形態と同一であるので、同一の符号を付し、詳細な説明を省略する。
【００３４】
温度センサ１０（温度検出手段）は、有機ＥＬパネル１の温度を検出するものであり、制御部８にアナログデータである温度信号Ｔを出力する。温度センサ１０は、サーミスタ等の温度検出素子からなるものであり、有機ＥＬパネル１に貼着しても良いし、有機ＥＬパネル１から所定間隔を有するように配置して、有機ＥＬパネル１の温度を間接的に検出しても良い。制御部８は、図示しないＡ／Ｄ変換器（温度検出手段）を有しており、このＡ／Ｄ変換器で前記温度信号Ｔをデジタルデータである温度データｔ０１〜ｔ６４に変換する。
【００３５】
制御部８は、トランジスタＴｒ２のゲートＧｂに印加する電圧レベルの電圧データＶＧＳ１０１〜ＶＧＳｎ６４を記憶したメモリ部８ｂを有している。電圧データＶＧＳ１０１〜ＶＧＳｎ６４は、オンさせるドライブスイッチ７１〜７ｎの数１〜ｎと、温度データｔ０１〜ｔ６４とに夫々対応するものである（図５参照）。
【００３６】
制御部８は、選択する走査ラインＳ１〜Ｓｍにおいて発光させる画素の数１〜ｎと、温度データｔ０１〜ｔ６４とに応じて、メモリ部８ｂから電圧データＶＧＳ１０１〜ＶＧＳｎ６４を読み出して、走査スイッチ２１〜２ｍのトランジスタＴｒ２に、読み出した電圧データＶＧＳ１〜ＶＧＳｎに基づいた駆動信号を出力する。例えば、温度センサ１０から出力された温度信号Ｔに基づいて得られた温度データが「ｔ０３」であった場合、走査ラインＳ２において発光させる画素の数がｎ個であるときは、電圧データＶＧＳｎ０３に基づいた駆動信号を出力する。また、走査ラインＳ２において発光させる画素の数が１個であるときは、電圧データＶＧＳ１０３に基づいた駆動信号を出力する。
【００３７】
第一，第二実施形態によれば、選択する走査ラインＳ１〜Ｓｍにおいて発光させる画素の数１〜ｎ、即ち、オン状態になるドライブスイッチ７１〜７ｎの数１〜ｎに応じて、メモリ部８ａ，８ｂから電圧データＶＧＳ１〜ＶＧＳｎ，ＶＧＳ１０１〜ＶＧＳｎ６４を読み出して、走査スイッチ２１〜２ｍのトランジスタＴｒ２に、読み出した電圧データＶＧＳ１〜ＶＧＳｎ，ＶＧＳ１〜ＶＧＳｎに基づいた駆動信号を出力できるため、選択する走査ラインＳ１〜Ｓｍにおいて発光させる画素の数１〜ｎによる発光輝度のばらつきを低減できる。
【００３８】
なお、第一実施形態は、選択する走査ラインＳ１〜Ｓｍにおいて発光させる画素の数１〜ｎに応じて、トランジスタＴｒ２に印加する電圧レベルをｎ段階で変えるものであるが、少なくとも２段階で電圧レベルを変えることにより、同様な効果が期待できる。
【００３９】
また、画素Ｅ１１〜Ｅｍｎのコンデンサとしての容量は温度によって変化するため、第二実施形態の如く、選択する走査ラインＳ１〜Ｓｍにおいて発光させる画素の数１〜ｎと、温度データｔ０１〜ｔ６４とに応じて、選択されない走査ラインＳ１〜Ｓｍに対応する走査スイッチ２１〜２ｍのトランジスタＴｒ２に、読み出した電圧データＶＧＳ１〜ＶＧＳｎに基づいた駆動信号を出力することが望ましい。
【図面の簡単な説明】
【００４０】
【図１】本発明の第一実施形態を示す有機ＥＬ表示装置の構成図。
【図２】同上実施形態を示す走査スイッチの回路図。
【図３】同上実施形態のメモリ部の説明図。
【図４】本発明の第二実施形態を示す有機ＥＬ表示装置の構成図。
【図５】同上実施形態のメモリ部の説明図。
【図６】従来例を示す有機ＥＬ表示装置の構成図。
【図７】同上従来例を示す画素の等価回路の説明図。
【図８】同上従来例を示す有機ＥＬパネルの部分図。
【図９】同上従来例を示す有機ＥＬパネルの部分図。
【符号の説明】
【００４１】
１  有機ＥＬパネル
Ｓ１〜Ｓｍ  走査ライン
Ｄ１〜Ｄｎ  ドライブライン
２１〜２ｍ  走査スイッチ（走査スイッチ手段）
７１〜７ｎ  ドライブスイッチ（ドライブスイッチ手段）
８  制御部（制御手段）
１０  温度センサ（温度検出手段）
７０  駆動電流源（定電流源）
【図１】
2005242115.tif 000003
【図２】
2005242115.tif 000004
【図３】
2005242115.tif 000005
【図４】
2005242115.tif 000006
【図５】
2005242115.tif 000007
【図６】
2005242115.tif 000008
【図７】
2005242115.tif 000009
【図８】
2005242115.tif 000010
【図９】
2005242115.tif 000011